(57)【要約】【課題】波形鋼板ウエブ箱桁の構築に際し、使用する型枠移動台車を軽量で簡略なものとし、短い工期で高品質の波形鋼板ウエブ箱桁が構築できる構築方法の提供。【解決手段】既設部分ｎ−１から先頭ブロックｎの波形鋼板ウエブ１０を突設させ、その底部間に下床版１１を成形した状態で、先頭ブロックｎの波形鋼板ウエブ先端部上にプレキャストコンクリート製の端枠３０を設置し、その端枠３０と前記既設部分ｎ−１の端部間に上床版成形用の型枠２０，２１を固定し、必要な配筋を施した後上床版コンクリートを打設し、コンクリートの硬化を待って前記既設部分ｎ−１に連続させたＰＣ緊張材を端枠３０に支持させて緊張定着させる。【選択図】図７
2007092313.tif 000002
【特許請求の範囲】
【請求項１】
複数の波形鋼板ウエブと、該波形鋼板ウエブの上下に一体に備えた上床版及び下床版とをもって断面が箱型に成形されたＰＣ波形鋼板ウエブ箱桁を、既設部分ｎ−１から１延長ブロック長さ分の波形鋼板ウエブを突出させ、該波形鋼板ウエブの上下に前記上床版及び下床版を、場所打ちコンクリートをもって形成して先頭ブロックｎを順次成形することにより構築するＰＣ波形鋼板ウエブ箱桁の構築方法において、
前記既設部分ｎ−１から突出した先頭ブロックｎの波形鋼板ウエブの底部間に前記下床版を成形した状態で、前記先頭ブロックｎの波形鋼板ウエブ先端部上にプレキャストコンクリート製の端枠を設置し、該端枠と前記既設部分ｎ−１の端部間に上床版成形用の型枠を固定し、該型枠上の上床版コンクリート打設空間に必要な配筋を施した後、該空間内に上床版コンクリートを打設し、該コンクリートの硬化を待って前記既設部分ｎ−１に連続させたＰＣ緊張材を前記端枠に支持させて緊張定着させることを特徴としてなるＰＣ波形鋼板ウエブ箱桁の構築方法。
【請求項２】
先頭ブロックｎの波形鋼板ウエブの先端に、該先頭ブロックｎの次に延長する次先頭ブロックｎ＋１用の波形鋼板ウエブを延長させ、該波形鋼板ウエブの下端間に下床版用捨て型枠用のプレキャスト板を掛け渡し、その上に必要な配筋を施した後、前記先頭ブロックｎの上床版コンクリートと同時、又はその前後に前記プレキャスト板上に次先頭ブロックｎ＋１の下床版コンクリートを打設する請求項１に記載のＰＣ波形鋼板ウエブ箱桁の構築方法。
【請求項３】
先頭ブロックｎの上床版の前記波形鋼板ウエブ外張出部を成形するための上床版張出部成形用型枠を支持する型枠移動台車を、前記波形鋼板ウエブ上に移動自在に支持させ、該型枠移動台車より上床版張出部成形用型枠を上昇させて前記端枠と既設部分ｎ−１の上床版下面間に支持させ、上床版コンクリート打設後その硬化を待って前記上床版張出部成形用型枠を脱型し、該型枠を前記型枠移動台車に載せ、該型枠移動台車を前記次先頭ブロックｎ＋１用の波形鋼板ウエブ上に移動させる請求項１又は２に記載のＰＣ波形鋼板ウエブ箱桁の構築方法。
【請求項４】
前記端枠は、上床版に対して箱桁軸方向のプレストレスを付与するためのＰＣ緊張材端部支持部材を予め一体にインサート成形したものを使用する請求項１，２又は３に記載のＰＣ波形鋼板ウエブ箱桁の構築方法。
【請求項５】
前記次先頭ブロックｎ＋１用の波形鋼板ウエブを先頭ブロックｎの波形鋼板ウエブ先端に延長させ、その各波形鋼板ウエブ間に対傾構を設置した後、前記下床版用捨て型枠用のプレキャスト板を掛け渡す請求項２，３又は４に記載のＰＣ波形鋼板ウエブ箱桁の構築方法。
【発明の詳細な説明】
【技術分野】
【０００１】
本発明は、ＰＣ波形鋼板ウエブ箱桁を使用した橋梁の構築に際し、適宜長さの１ブロック分ずつ波形鋼板ウエブを順次延長させ、これと一体に上下の床版を場所打ちコンクリートによって施工することにより箱桁を順次延長させるＰＣ波形鋼板ウエブ箱桁の構築方法に関する。
【背景技術】
【０００２】
従来、図１３に示すように、波形鋼板ウエブ１，１上に上床版２を、また該波形鋼板ウェブ１，１の下部間に下床版３をそれぞれ場所打ちコンクリートによって一体に形成し、全体が箱形をした波形鋼板ウエブ箱桁４を橋梁軸方向に順次延長させることによって、箱桁を架設する工法が知られている。
【０００３】
この種のＰＣ波形鋼板ウエブ箱桁の構築方法には、従来、図１５に示すように既設部分ｎ−１の上に移動台車５を設置し、その移動台車５から垂下させた吊材６を介して作業台７を吊り持ちさせ、その作業台７に場所打ちの上床版及び下床版を成形するための型枠その他の機材を支持させて先頭ブロックｎを成形し、然る後、移動台車５を次の先頭ブロックｎ成形位置に移動させて順次波形鋼板ウエブ箱桁を延長させる方法がある（例えば特許文献１）。
【０００４】
また、場所打ちの上床版の構築に際し、図１４に示すように先頭ブロックｎの先端面を成形するために端枠８が使用されており、この端枠８には、これに貫通する鉄筋用の開口が形成されるとともに、上床版の箱桁軸方向にプレストレス付与するためのＰＣ緊張材端部定着のための支圧板その他の埋め込み部材を支持させ、上部床版コンクリートの硬化後に除去し、上部床版の端部に埋設された支圧板にＰＣ緊張材ａの端部を定着させることによって、上部床版に対する箱桁軸方向のプレストレスを付与させている。
【特許文献１】特開２０００−１１０１１４号公報
【発明の開示】
【発明が解決しようとする課題】
【０００５】
上述の如き従来のＰＣ波形鋼板ウエブ箱桁の構築方法にあっては、移動台車に対して上下の床版を成型するための型枠、打設したコンクリート等の多くの荷重を受け持たせるものであるため、移動台車が大型で複雑な構造とならざるを得ず、コスト高となるとともに、重量も大きくなり、片持ち式に延長される桁の下向きのモーメントが大きくなり、設計条件に制約を及ぼすという問題があった。
【０００６】
また、支圧版やその固定のためのアンカー等、ＰＣ緊張材定着のための器材が埋め込まれる部分のコンクリートは、大きな緊張力に耐え得るように常に一定以上のコンクリート品質を維持させる必要があるが、従来の工法では、上床版に設置する主ＰＣ緊張材定着のための器材が、場所打ちのコンクリート内に埋め込まれるものであるため、コンクリートの品質を常に一定に保つことに高度の技術を要するという問題がある。
【０００７】
しかも、従来使用されている端枠は、連続鉄筋を貫通させるための開口や前述したＰＣ緊張材定着のための器具類等のインサート部材の保持など、加工上の容易さから、木材が多く使用されており、天然資源を枯渇させ、自然環境を損なう原因となる等の問題があった。
【０００８】
本発明は、上述の如き従来の問題に鑑み、波形鋼板ウエブ箱桁の構築に際し、使用する型枠移動台車を軽量で簡略なものとすることを可能とし、コストを削減するとともに、短い工期で高品質の波形鋼板ウエブ箱桁が構築できるＰＣ波形鋼板ウエブ箱桁の構築方法の提供を目的としてなされたものである。
【課題を解決するための手段】
【０００９】
上述の如き従来の問題を解決し、所期の目的を達成するための請求項１に記載の発明の特徴は、複数の波形鋼板ウエブと、該波形鋼板ウエブの上下に一体に備えた上床版及び下床版とをもって断面が箱型に成形されたＰＣ波形鋼板ウエブ箱桁を、既設部分ｎ−１から１延長ブロック長さ分の前記波形鋼板ウエブを突出させ、該鋼板ウエブの上下に前記上床版及び下床版を、場所打ちコンクリートをもって形成して先頭ブロックｎを順次成形することにより構築するＰＣ波形鋼板ウエブ箱桁の構築方法において、前記既設部分ｎ−１から突出した先頭ブロックｎの波形鋼板ウエブの底部間に前記下床版を成形した状態で、前記先頭ブロックｎの波形鋼板ウエブ先端部上にプレキャストコンクリート製の端枠を設置し、該端枠と前記既設部分ｎ−１の端部間に上床版成形用の型枠を固定し、該型枠上の上床版コンクリート打設空間に必要な配筋を施した後、該空間内に上床版コンクリートを打設し、該コンクリートの硬化を待って前記既設部分ｎ−１に連続させたＰＣ緊張材を前記端枠に支持させて緊張定着させることにある。
【００１０】
また、請求項２に記載の発明の特徴は、請求項１の構成に加え、先頭ブロックｎの波形鋼板ウエブの先端に、該先頭ブロックｎの次に延長する次先頭ブロックｎ＋１用の波形鋼板ウエブを延長させ、該波形鋼板ウエブの下端間に下床版用捨て型枠用のプレキャスト板を掛け渡し、その上に必要な配筋を施した後、前記先頭ブロックｎの上床版コンクリートと同時、又はその前後に前記プレキャスト板上に次先頭ブロックｎ＋１の下床版コンクリートを打設することとにある。
【００１１】
請求項３に記載の発明の特徴は、請求項１又は２の構成に加え、先頭ブロックｎの上床版の前記波形鋼板ウエブ外張出部を成形するための上床版張出部成形用型枠を支持する型枠移動台車を、前記波形鋼板ウエブ上に移動自在に支持させ、該型枠移動台車より上床版張出部成形用型枠を上昇させて前記端枠と既設部分ｎ−１の上床版下面間に支持させ、上床版コンクリート打設後、その硬化を待って前記上床版張出部成形用型枠を脱型し、該型枠を前記型枠移動台車に載せ、該型枠移動台車を前記次先頭ブロックｎ＋１用の波形鋼板ウエブ上に移動させることにある。
【００１２】
請求項４に記載の発明の特徴は、請求項１，２又は３の構成に加え、前記端枠は、上床版に対して箱桁軸方向のプレストレスを付与するためのＰＣ緊張材端部支持部材を予め一体にインサート成形したものを使用することにある。
【００１３】
請求項５に記載の発明の特徴は、請求項１〜３又は４の構成に加え、前記次先頭ブロックｎ＋１用の波形鋼板ウエブを先頭ブロックｎの波形鋼板ウエブ先端に延長させ、その各波形鋼板ウエブ間に対傾構を設置した後、前記下床版用捨て型枠用のプレキャスト板を掛け渡すことにある。
【発明の効果】
【００１４】
本発明におけるＰＣ波形鋼板ウエブ箱桁の構築方法においては、既設部分ｎ−１から突出した先頭ブロックｎの波形鋼板ウエブの底部間に前記下床版を成形した状態で、前記先頭ブロックｎの波形鋼板ウエブ先端部上にプレキャストコンクリート製の端枠を設置し、該端枠と前記既設部分ｎ−１の端部間に上床版成形用の型枠を固定し、該型枠上の上床版コンクリート打設空間に必要な配筋を施した後、該型枠上に上床版コンクリートを打設するようにしたことにより、上床版用の型枠が、既設部分ｎ−１とこれから突出されている波形鋼板ウエブに支持された状態でコンクリートが打設され、作業用移動台車には従来工法のように、コンクリート打設時の型枠や打設されるコンクリートの荷重を支える必要がないため、作業用の型枠移動台車は従来に比べて簡略化された軽量のものを使用でき、その製造コストを削減できるとともに順次延長される箱桁先端にかかる作業器機類の重量によるモーメントを小さくすることができ、設計上も有利となる。
【００１５】
また、端枠にプレキャストコンクリートブロックを使用し、上床版のコンクリートの硬化を待って前記既設部分ｎ−１に連続させたＰＣ緊張材を前記端枠に支持させて緊張定着させるようにしたことにより、端枠は工場にて高品質を維持した状態で製造したものを使用することができ、ＰＣ緊張材の定着のための構造部分等、所定の強度が維持されなければならない部分の信頼性を高めることができるとともに、施工現場における複雑なＰＣ緊張材定着部の構築作業が不要となり、作業効率が向上する。また、従来のように1回の使用で使い捨てとなる木製の端枠を使用しないため、木材資源の枯渇を防止することともなる。
【００１６】
また、本発明では、先頭ブロックｎの波形鋼板ウエブの先端に、該先頭ブロックｎの次に延長する次先頭ブロックｎ＋１用の波形鋼板ウエブを延長させ、該波形鋼板ウエブの下端間に下床版用捨て型枠用のプレキャスト板を掛け渡し、その上に必要な配筋を施した後、前記先頭ブロックｎの上床版コンクリートと同時、又はその前後に前記プレキャスト板上に次先頭ブロックｎ＋１の下床版コンクリートを打設するようにしたことにより、下床版の成型は次先頭ブロックｎ＋１位置、上床版の成型はそれより1ブロック分手前の先頭ブロックｎ位置でそれぞれ別々になされるため、型枠の組立、配筋、コンクリート打設などの作業が別々の個所で並行して行われるため、作業効率が高く、工期が短縮できるとともに、下床版の成型には型枠移動台車が不要になり、箱桁先端に掛かる下向き荷重を低減させることができる。
【００１７】
更に、先頭ブロックｎの上床版の前記波形鋼板ウエブ外張出部を成形するための上床版張出部成形用型枠を支持する型枠移動台車を、前記波形鋼板ウエブ上に移動自在に支持させ、該型枠移動台車より上床版張出部成形用型枠を上昇させて前記端枠と既設部分ｎ−１の上床版下面間に支持させ、上床版コンクリート打設後、その硬化を待って前記型枠移動台車に前記上床版張出部成形用型枠を移し変え、該型枠移動台車を前記次先頭ブロックｎ＋１用の波形鋼板ウエブ上に移動させるようにすることにより、型枠移動台車には場所打ちコンクリートの荷重を作用させないものとすることができ、その上に載置される型枠自体の重量及び場合によっては型枠を昇降させるための機材を支持するための作業台であればよくなり、軽量なものとすることができる。
【００１８】
更に、前記端枠は、上床版に対して箱桁軸方向のプレストレスを付与するためのＰＣ緊張材端部支持部材を予め一体にインサート成形したものを使用することにより、工場生産による高品質を維持したものとすることができる。
【００１９】
更に、前記次先頭ブロックｎ＋１用の波形鋼板ウエブを先頭ブロックｎの波形鋼板ウエブ先端に延長させ、その各波形鋼板ウエブ間に対傾構を設置した後、前記下床版用捨て型枠用のプレキャスト板を掛け渡すようにすることにより、型枠移動台車を使用しない下床版の構築作業を安定した状態で安全に行うことができる。
【発明を実施するための最良の形態】
【００２０】
次に本発明の実施の形態を図面に示した実施例に基づいて説明する。
【００２１】
図１、図２は本発明方法によって構築する箱桁、その構築に使用する型枠移動台車及び上床版を成型するための型枠を示している。箱桁は、一対の互いに平行な波形鋼板ウエブ１０，１０と、この波形鋼板ウエブ１０，１０の下フランジ１０ａ，１０ａ間にこれらと連結した状態で成形された下床版１１及び両波形鋼板ウエブ１０，１０の上フランジ１０ｂ，１０ｂ上に掛け渡されてこれらと一体に成形された上床版１２とから構成され、上床版１２は場所打ちコンクリートによって成型され、波形鋼板ウエブ１０，１０の外側に張り出した張出部１２ａ，１２ａが両縁に一体に備えられている。
【００２２】
下床版１１は、下フランジ１０ａ，１０ａ間に掛け渡したプレキャストコンクリート版からなる捨て型枠１１ａとその上面に打設した場所打ちの下床版コンクリート１１ｂとをもって構成されている。
【００２３】
型枠移動台車Ａは、箱桁の両波形鋼板ウエブ１０，１０と既設の上床版１２の上面に両端が支持される前後向き水平部材１３，１３と、その上に左右に向けで両端が上床版１２の両側縁より長く張り出した吊アーム１４，１４と、各吊アーム１４，１４の両端から上床版１２の両側部より低い高さまで垂下させた縦材１５，１５、上床版１２の両側において縦材１５，１５の下端に片持ち支持させて張出部１２ａ，１２ａ下に水平方向に張り出させた作業床部１６，１６とから構成されており、上記水平部材１３，１３の両端下面に備えた前後支持脚１７，１７に備えた車輪（図示せず）によって、既設の上床版上及び既設部分から突設された波形鋼板ウエブ上を移動できるようになっている。
【００２４】
型枠移動台車Ａの作業床部１６，１６上には、上床版１２の張出部１２ａ，１２ａ部分を成型するための張出部底面型枠２０が載置されている。この型枠２０は、型板２０ａの底面に波形鋼板ウエブ１０の軸方向に向けた型板支持梁２０ｂ，２０ｂが固定されている。この型板支持梁２０ｂ，２０ｂは、Ｈ型鋼をもって構成されており、その両端を型板２０ａの前後に突出させている。
【００２５】
箱桁の下床版１１上には、上床版１２の両波形鋼板ウエブ１０，１０間の部分、即ち上床版中央部分１２ｂの底面を成型する中央部底面型枠２１が載置されている。この型枠２１は、型板２１ａの底面に波形鋼板ウエブ１０の軸方向に向けた型板支持梁２１ｂ，２１ｂが固定されている。この型板支持梁２１ｂ，２１ｂは、Ｈ型鋼をもって構成されており、その両端を型板２１ａの前後に突出させている。
【００２６】
次に本発明に係るＰＣ波形鋼板ウエブ箱桁の構築方法を図３〜図９について説明する。
【００２７】
おり、図において符号ｎ−１箱桁の既設部分であり、ｎは既設部分ｎ−１から延長方向張り出して成形する先頭ブロック、ｎ＋１は先頭ブロックｎの先端より延長させて、次の先頭ブロックとして構築される次先頭ブロックである。
１．先頭ブロックｎの波形鋼板ウエブ及び下床版の構築
図３に示すように、既設部分ｎ−１の波形鋼板ウエブの先端に先頭ブロックｎ用波形鋼板ウエブ１０，１０を連結して延長方向に突出させる。次いで、両波形鋼板ウエブ１０，１０間にクロス配置の一対の斜材からなる対傾構１８を設置し、これによって両波形鋼板ウエブ１０，１０の捩れを規制させる。次いで、両波形鋼板ウエブ１０，１０の下フランジ１０ａ，１０ａ間に図２に示すように下床版１１を構成させる捨て型枠１１ａを掛け渡して固定し、その捨て型枠１１ａ上に場所打ちの下床版コンクリート１１ｂを打設して下床版１１を構築する。上述した波形鋼板ウエブ１０，１０、対傾構１８及び捨て型枠１１ａの設置は地上又は既設部分ｎ−１に設置したクレーン（図示せず）を使用して行う。
２．次先頭ブロックｎ＋１用波形鋼板ウエブの連結
このようにして先頭ブロックｎの構築を、上床版１２の構築を残した状態まで進めた後、図４に示すように、上床版１２の構築前に、先頭ブロックｎの次に延長させる次先頭ブロックｎ＋１用の波形鋼板ウエブ１０，１０を、前述と同様にクレーンを使用して吊り上げ、前記先頭ブロックｎ用波形鋼板ウエブ１０，１０の先端に延長方向に向けて連結する。
３．次先頭ブロックｎ＋１の対傾構及び下床版用捨て型枠の設置及び配筋
次いで、図５に示すように次先頭ブロックｎ＋１の両波形鋼板ウエブ１０，１０間に対傾構１８を設置し、該波形鋼板ウエブ１０，１０の下フランジ１０ａ，１０ａ間に捨て型枠１１ａを掛け渡して固定し、その上に下床版１１用に必要な配筋を設置する。この次先頭ブロックｎ＋１の構築のための作業と並行して又は該作業完了後に次に述べる先頭ブロックｎ部分の上床版１２構築のための型枠組立作業を行う。
４．先頭ブロックｎの上床版用型枠の組立
ａ．先頭ブロックｎの端枠設置
先ず、図６に示すように構築しようとする上床版１２の先端部分を構成させるための端枠３０を、クレーンを使用して波形鋼板ウエブ１０，１０の先端部稍手前側位置に設置し、波形鋼板ウエブ１０，１０に固定する。
【００２８】
この端枠３０は図１０に示すようにプレキャストコンクリートブロックをもって構成されており、これには図１１に示すように上床版１２内に箱桁軸方向に向けて挿通する主ＰＣ緊張材の端部を定着するための金物Ｂ、即ち支圧板３１、該支圧板３１の背面に連結させたトランペットシース３２、該トランペットシース３２に嵌め合わせたシース３３及び支圧板背部のコンクリート補強用鉄筋３４が埋め込まれ、予め工場において製造されたものを使用する。
【００２９】
ｂ．底面成型用型枠の固定 
端枠３０を設置した後、この端枠３０の下面と既設部分ｎ−１の上床版下面に支持させて、上床版成型用の型枠２０，２１を設置する。
【００３０】
この型枠の組立に型枠移動台車Ａを使用する。先頭ブロックｎの波形鋼板ウエブ１０，１０を既設部分ｎ−１から延長させ、対傾構１８を設置した後、型枠移動台車Ａを既設部分ｎ−１から先頭ブロックｎ部分に移動させる。そして、作業床部１６，１６上に載置されている張出部底面型枠２０をジャッキなどの持ち上げ手段（図示せず）を使用して上昇させ、型板支持梁２０ｂの両端を端枠３０及び既設部分ｎ−１の上床版の張出部１２ａの下面に固定する。この固定は、それぞれの部分に予め設置したアンカーボルト（図示せず）を使用する。
【００３１】
この作業と並行して既設部分ｎ−１の下床版１１上に載置されている中央部底面型枠２１を先頭ブロックｎの下床版１１上に移動させ、これをジャッキなどの持ち上げ手段を使用して上昇させ、型板支持梁２１ｂの両端を端枠３０及び既設部分ｎ−１の上床版の上床版中央部分１２ｂの下面に固定する。この固定は、それぞれの部分に予め設置したアンカーボルト（図示せず）を使用する。
５．上床版用の配筋及びＰＣ緊張材の設置
このようにして各型枠２０，２１を固定した後、その上のコンクリート打設空間に必要な配筋を施すとともに、既設部分ｎ−１及び先端ブロック部分に連続して挿通させる主ＰＣ緊張材ａを設置する。また、主ＰＣ緊張材と直交する上床版幅方向のＰＣ緊張材又は、これを挿通するシースの設置も同時に行う。
６．場所打ちコンクリートの打設
このようにして上述した上下床版１２，１１の為の配筋、ＰＣ緊張材の設置作業の完了後、図８に示すように次先頭ブロックｎ＋１の下床版コンクリート１１ｂと先頭ブロックｎの上床版１２のコンクリートを同時に打設する。尚、この場所打ちコンクリートの打設は、上記上下床版を同時に打設する他、次先頭ブロックｎ＋１及び先頭ブロックｎにおいて配筋等のコンクリート打設前の作業が先に完了した場所から別々に打設作業を行ってもよい。
７．上床版に対するプレストレスの導入
上記コンクリート打設後、図には示してないが上床版１２の場所打ちコンクリートがプレストレス導入のための耐力が発揮できる程度の材齢に達するのを待って主ＰＣ緊張材を端枠３０の前面側から緊張し、その端部を該端枠３０の支圧板３１に定着させる。尚、この主ＰＣ緊張材によるプレストレス導入作業は、型枠２０，２１の脱型の前後を問わない。
８．脱型及び型枠の移動
前述の如く打設した上床版用の場所打ちコンクリート固化後、脱型作業を行う。脱型した張出部成型用型枠２０，２０は、図９に示すように型枠移動台車Ａの作業床部１６，１６上に載せ、型枠移動台車Ａを次先頭ブロックｎ＋１の波形鋼板ウエブ上に移動させる。また上床版中央部型枠２１は、下床版１１上に降下させ、例えば台車（図示せず）などの搬送手段を使用して次先頭ブロックｎ＋１の下床版上に移動させて次の使用まで待機させる。
９．次先頭ブロックｎ＋１用波形鋼板ウエブの連結
上述のようにして先頭ブロックｎが完成されると、これを既設部分ｎ−１として前記「２．次先頭ブロックｎ＋１用波形鋼板ウエブの連結作業」を行う。以下、前述の２〜８の工程を順次繰り返して箱桁を1ブロックずつ延長させる。
【００３２】
尚、上述した実施例では張出部底面型枠２０の保持を型板底面に固定した型板支持梁２０ａを端枠３０及び既設部分ｎ−１の上床版１２に支持させることによって行う他、図１２に示すように、先頭ブロックｎの波形鋼板ウエブ１０の下フランジ１０ａの外側上面に下端を支持させた鋼製ブラケット４０をもって張出部底面型枠２０の下面を保持させるようにして型枠移動台車Ａに対して場所打ちコンクリートの荷重を作用させないようにしてもよい。この場合には波形鋼板ウエブに横方向の水平力が作用することとなるが、張出部底面型枠２０の設置時には下床版１０が既に構築されているため、この時の水平力に対して充分に耐えることができる。
【００３３】
尚、この場合における脱型後の型枠２０の移動は前述と同様に型枠移動台車Ａを使用して行うことができる。
【図面の簡単な説明】
【００３４】
【図１】本発明において構築しようとする箱桁に型枠移動台車及び型枠を支持させた状態を示す側面図である
【図２】同上の正面図である。
【図３】（イ）は本発明方法における先頭ブロックの波形鋼板ウエブ及び下床版の設置状態を示す側面図、（ロ）は同正面図である。
【図４】（イ）は本発明における次先頭ブロックの波形鋼板ウエブ突設工程を示す側面図、（ロ）は同正面図である。
【図５】（イ）は本発明における次先頭ブロックの下床版用の捨て型枠及び対傾構設置工程を示す側面図、（ロ）は同正面図である。
【図６】（イ）は本発明における先頭ブロックの端枠設置工程を示す側面図、（ロ）は同正面図である。
【図７】（イ）は本発明における先頭ブロックの上床版用の型枠設置工程を示す側面図、（ロ）は同正面図である。
【図８】（イ）は本発明における次先頭ブロックの下床版コンクリート及び先頭ブロックの上床版コンクリート打設工程を示す側面図、（ロ）は同正面図である。
【図９】（イ）は本発明における次先頭ブロックへの型枠移動台車の移動工程を示す側面図、（ロ）は同正面図である。
【図１０】（イ）は本発明において使用する端枠の一例を示す正面図、（ロ）は同平面図である。
【図１１】同上の端枠のＰＣ緊張材定着部を示す断面図である。
【図１２】本発明方法における張出部底面型枠の保持構造の他の例を示す縦断面図である。
【図１３】従来の波形鋼板ウエブを使用した箱桁の一例を示す正面図である。
【図１４】同上の先頭ブロックの配筋状態を示す平面図である。
【図１５】従来の型枠移動台車を使用した波形鋼板ウエブ箱桁構築を示す側面図である。
【符号の説明】
【００３５】
Ａ  型枠移動台車
Ｂ  金物
１０  波形鋼板ウエブ
１０ａ  下フランジ
１０ｂ  上フランジ
１１  下床版
１１ａ  捨て型枠
１１ｂ  下床版コンクリート
１２  上床版
１２ａ  張出部
１２ｂ  中央部
１３  前後向き水平部材
１４  吊アーム
１５  縦材
１６  作業床部
１７  前後支持脚
１８  対傾構
２０  張出部底面型枠
２０ａ  型板
２０ｂ  型板支持梁
２１  中央部底面型枠
２１ａ  型板
２１ｂ  型板支持梁
３０  端枠
３１  支圧板
３２  トランペットシース
３３  シース
３４  コンクリート補強用鉄筋
４０  鋼製ブラケット
【図１】
2007092313.tif 000003
【図２】
2007092313.tif 000004
【図３】
2007092313.tif 000005
【図４】
2007092313.tif 000006
【図５】
2007092313.tif 000007
【図６】
2007092313.tif 000008
【図７】
2007092313.tif 000009
【図８】
2007092313.tif 000010
【図９】
2007092313.tif 000011
【図１０】
2007092313.tif 000012
【図１１】
2007092313.tif 000013
【図１２】
2007092313.tif 000014
【図１３】
2007092313.tif 000015
【図１４】
2007092313.tif 000016
【図１５】
2007092313.tif 000017